(57)【要約】【課題】            部材の点数を減少させ、構造を簡易化して製造コストの節減と製造時間の短縮を達成し、かつ操作の簡易なイーゼルの画板支持構造を提供する。【解決手段】        イーゼルの画板支持構造を本体と、係合部とによって構成する。該本体は開口状の一端を連結端として該開口部を設け、該係合部材には、該イーゼルの支持脚に当止して位置決めする少なくとも１以上の突縁部を形成する。【選択図】          図４
2005342345.tif 000002
【特許請求の範囲】
【請求項１】
本体と、係合部とによって構成するイーゼルの画板支持構造であって、
該本体は開口状の一端を連結端として該開口部を設け、
該係合部材には、該イーゼルの支持脚に当止して位置決めする少なくとも１以上の突縁部を形成することを特徴とする、イーゼルの画板支持構造。
【請求項２】
前記本体に第１孔部と第２孔部を穿設することを特徴とする、請求項１に記載のイーゼルの画板支持構造。
【請求項３】
前記係合部材の一端には横方向に貫通する軸孔を形成し、該軸孔の両端を軸孔口とすることを特徴とする、請求項１に記載のイーゼルの画板支持構造。
【請求項４】
前記係合部材が軸桿によって該本体に軸支されることを特徴とする、請求項１に記載のイーゼルの画板支持構造。
【請求項５】
前記本体の第１孔部と第２孔部に軸桿を挿入することを特徴とする、請求項２に記載のイーゼルの画板支持構造。
【請求項６】
前記係合部材の軸孔には軸桿を挿入することを特徴とする、請求項３に記載のイーゼルの画板支持構造。
【請求項７】
前記係合部材に凹状部を形成することを特徴とする、請求項１に記載のイーゼルの画板支持構造。
【請求項８】
前記係合部材に少なくとも１以上のリブを形成することを特徴とする、請求項１に記載のイーゼルの画板支持構造。
【請求項９】
本体と、係合部とによって構成するイーゼルの画板支持構造であって、
該本体は開口状の一端を連結端として該開口部を設け、
該係合部材には、該イーゼルの支持脚に当止して位置決めする少なくとも１以上の凹状部を形成し、該係合部材の凹状部が支持脚に対向する位置にあっても画板支持構造の該支持脚上の移動に干渉することなく、該係合部材が回転して該凹状部が該支持脚を離れた場合、該係合部材が該支持脚に当止して、該係合部材の移動を阻むように構成することを特徴とする、イーゼルの画板支持構造。
【請求項１０】
前記本体に第１孔部と第２孔部を穿設することを特徴とする、請求項９に記載のイーゼルの画板支持構造。
【請求項１１】
前記係合部材の一端には横方向に貫通する軸孔を形成し、該軸孔の両端を軸孔口とすることを特徴とする、請求項９に記載のイーゼルの画板支持構造。
【請求項１２】
前記係合部材が軸桿によって該本体に軸支されることを特徴とする、請求項９に記載のイーゼルの画板支持構造。
【請求項１３】
前記本体の第１孔部と第２孔部に軸桿を挿入することを特徴とする、請求項１０に記載のイーゼルの画板支持構造。
【請求項１４】
前記係合部材の軸孔には軸桿を挿入することを特徴とする、請求項１１に記載のイーゼルの画板支持構造。
【請求項１５】
前記係合部材に凹状部を形成することを特徴とする、請求項９に記載のイーゼルの画板支持構造。
【請求項１６】
前記係合部材に少なくとも１以上のリブを形成することを特徴とする、請求項９に記載のイーゼルの画板支持構造。
【発明の詳細な説明】
【技術分野】
【０００１】
この発明はイーゼルに関し、とくに異なるサイズの画板に合わせて支持するイーゼルの画板支持構造に関する。
【背景技術】
【０００２】
写生、もしくは絵を描く場合、風景に注目したり、画板を手で持つ際の疲労を減少させたりするために、通常イーゼルを利用して画板を固定する。しかるに、従来のイーゼルにおける画板の支持部は構造が複雑で、製造コストが高い。しかも操作が煩雑で不便である。
【０００３】
図１に従来のイーゼルを開示する。従来のイーゼルは、複数の支持脚（１１）を具え、それぞれの固定脚（１１）には位置決め部（２）を設ける。画板を所望する位置に固定する場合、該位置決め部（２）を適宜な位置に調整する。
【０００４】
図２、３に開示するように、位置決め部（２）は、Ｕ字状部（２１）と、押圧部（２２）と、スリーブ（２３）と、制動桿（２４）と、作動桿（２５）とによって構成されている。
【０００５】
Ｕ字状部（２１）には、第１孔部（２１１）と、第２孔部（２１２）と、第３孔部（２１３）とを穿設する。押し圧部（２２）は、第１ガイド孔（２２１）と、第２ガイド孔（２２２）を形成する。制動桿（２４）は、Ｌ字状に形成し、U字状部（２１）の第１孔部（２１１）から押し圧部（２２）の第１ガイド孔（２２１）を貫通してスリーブ（２３）に挿通させ、さらに押し圧部（２２）の第２ガイド孔（２２２）を貫通してＵ字状部（２１）の第２孔部（２１２）に至る。
【０００６】
位置決め部（２）をイーゼル（１）に設ける場合は、作動桿（２５）をＵ字状部（２１）の第３孔部（２１３）に螺合させて前方に移動させ、押し圧部（２２）を圧迫して制動桿（２４）に当止させる。かかる操作によって、位置決め部（２）をイーゼル（１）に固定する。
【０００７】
作動桿（２５）の外周面には螺刻し、Ｕ字状部（２１）の第３孔部（２１３）の内壁には、該作動桿（２５）のネジ山に対応するネジ山を形成する。よって、作動桿（２５）は回転して前進させ、押し圧部（２２）を圧迫してイーゼル（１）の支持脚に当止させ、位置決めの作用を行う。
【０００８】
但し、上述する従来の位置決め機構は、構造が複雑で、製造コストが高く、操作が煩雑（作動桿（２５）を回転させ、制動桿（２４）を引っ張って位置を調整し、さらに作動桿（２５）を回転させる）のみならず、作動桿（２５）を第３孔部（２１３）へ螺合させてあるために頻繁に使用したり、力を入れて操作したりした場合、ネジ山が容易に磨耗し、使用寿命が短くなるという欠点を有する。したがって、これら欠点の改善が望まれている。
【発明の開示】
【発明が解決しようとする課題】
【０００９】
この発明の目的は、部材の数を減少させ、構造を簡易化して製造コストの節減と製造時間の短縮を達成できるイーゼルの画板支持構造を提供せんとするにある。
【００１０】
さらに、この発明の目的は、簡易な操作でイーゼルを移動させ、位置決めすることができ、使用に便利なイーゼルの画板支持構造を提供することにある。
【００１１】
さらに、この発明の目的は、長い使用寿命が得られるイーゼルの画板支持を提供せんとするにある。
【課題を解決するための手段】
【００１２】
本発明者は、従来の技術に見られる上記欠点に鑑み鋭意研究を重ねた結果、イーゼルの支持脚に設ける本体と、該本体に回動自在に設けられ、画板を支持する係合部とによってなるイーゼルの画板支持構造によって課題を解決できる点に着眼し、かかる知見に基づいて本発明を完成させた。
【００１３】
以下、この発明について具体的に説明する。  
請求項１に記載するイーゼルの画板指示構造は、本体と、係合部とによって構成するイーゼルの画板支持構造であって、
前記本体は開口状の一端を連結端として開口部を設け、
前記係合部材には、前記イーゼルの支持脚に当止して位置決めする少なくとも１以上の突縁部を形成する。
【００１４】
請求項２に記載するイーゼルの画板支持構造は、請求項１における本体に第１孔部と第２孔部を穿設する。
【００１５】
請求項３に記載するイーゼルの画板支持構造は、請求項１における係合部材の一端に横方向に貫通する軸孔を形成し、該軸孔の両端を軸孔口とする。
【００１６】
請求項４に記載するイーゼルの画板支持構造は、請求項１における係合部材が軸桿によって前記本体に軸支される。
【００１７】
請求項５に記載するイーゼルの画板支持構造は、請求項２における本体の第１孔部と第２孔部に軸桿を挿入する。
【００１８】
請求項６に記載するイーゼルの画板支持構造は、請求項３における係合部材の軸孔に軸桿を挿入する。
【００１９】
請求項７に記載するイーゼルの画板支持構造は、請求項１における係合部材に凹状部を形成する。
【００２０】
請求項８に記載するイーゼルの画板支持構造は、請求項１における係合部材に少なくとも１以上のリブを形成する。
【００２１】
請求項９に記載するイーゼルの画板支持構造は、本体と、係合部とによって構成するイーゼルの画板支持構造であって、
前記本体は開口状の一端を連結端として開口部を設け、
前記係合部材には、前記イーゼルの支持脚に当止して位置決めする少なくとも１以上の凹状部を形成し、前記係合部材の凹状部が支持脚に対向する位置にあっても画板支持構造の前記支持脚上の移動に干渉することなく、前記係合部材が回転して凹状部が前記支持脚を離れた場合、該係合部材が該支持脚に当止して、該係合部材の移動を阻むように構成する。
【００２２】
請求項１０に記載するイーゼルの画板支持構造は、請求項９における本体に第１孔部と第２孔部を穿設する。
【００２３】
請求項１１に記載するイーゼルの画板支持構造は、請求項９における係合部材の一端に横方向に貫通する軸孔を形成し、該軸孔の両端を軸孔口とする。
【００２４】
請求項１２に記載するイーゼルの画板支持構造は、請求項９における係合部材が軸桿によって前記本体に軸支される。
【００２５】
請求項１３に記載するイーゼルの画板支持構造は、請求項１０における本体の第１孔部と第２孔部に軸桿を挿入する。
【００２６】
請求項１４に記載するイーゼルの画板支持構造は、請求項１１における係合部材の軸孔に軸桿を挿入する。
【００２７】
請求項１５に記載するイーゼルの画板支持構造は、請求項９における係合部材に凹状部を形成する。
【００２８】
請求項１６に記載するイーゼルの画板支持構造は、請求項９における係合部材に少なくとも１以上のリブを形成する。
【発明の効果】
【００２９】
本発明のイーゼルの画板支持構造は、部材の数を減少させ、構造の簡略化を達成することによって製造時間を短縮し、製造コストを低減させるという利点がある。
【００３０】
また、この発明によるイーゼルの画板支持構造は、簡易な操作でイーゼルを移動させ、位置決めすることができ、使用上の便利さを高めるという利点がある。
【発明を実施するための最良の形態】
【００３１】
この発明は、画板を支持するイーゼルの画板支持構造を提供するものであって、イーゼルの支持脚に設ける本体と、該本体に回動自在に設けられ、画板を支持する係合部とによって構成する。
【００３２】
係る構成のイーゼルの画板支持構造について、その構造と特徴を詳述するために、具体的な実施例を挙げ、以下に説明する。
【実施例１】
【００３３】
図４乃至図８はこの発明に係るイーゼルの画板支持構造（３）を示す。図面によれば、イーゼルの画板支持構造（３）は、開口状の一端を連結端（３１１）とし、イーゼル（４）の支持脚（４１）に嵌挿する本体（３１）と、該本３１）に回動自在に設ける係合部材（３２）とによって成り、実施例において本体（３１）は、第１孔部（Ａ）、第２孔部（Ａ’）を穿設し、係合部材（３２）は一端に横方向に貫通する軸孔を形成し、別途軸桿（３３）を本体（３１）の第１孔部（Ａ）から挿入し、一端が係合部材（３２）の軸孔の軸孔口（Ｂ）（Ｂ’）を通過して第１孔部（Ａ’）に至るように設ける。よって、係合部材（３２）は、本体（３１）に回動自在に設けられる（図６、７、９、１０、１１参照）。また、係合部材（３２）には、画板（５）を支持する少なくとも１以上の凹状部（３２１）を形成する（図４参照）。また、係合部材（３２）の軸孔を形成する一端には、円弧した円弧形状の突縁部（３２２）を形成する。
【００３４】
実施例において、図６、７に記載したように、係合部材（３２）の突縁部（３２２）には、少なくとも１以上の凸状部（Ｄ）を形成し、係合部材（３２）が回転すると該凸状部（Ｄ）が支持脚（４１）に当止するように構成して、画板支持構造（３）の位置決め作用を行う。
【実施例２】
【００３５】
また、他の実施例として、図８、９に開示するように、突縁部（３２２）に少なくとも１以上の凹状部（Ｃ）を形成してもよい。この場合、係合部材（３２）は凹状部（３２１）が支持脚（４１）に対向する位置にあっても、画板支持構造（３）の支持脚（４１）上での移動に干渉することなく、係合部材（３２）が回転して凹状部（Ｃ）が支持脚（４１）を離れた場合、係合部材（３２）の凸状部（３２２）が支持脚（４１）に当止して、係合部材（３２）の移動を阻む。よって、画板支持構造を位置決めすることができる。さらに、突縁部（３２２）、もしくは凸状部（Ｄ）を円弧状に形成したため、係合部材（３２）が回転する場合、支持脚（４１）に対する摩擦が減少し、使用寿命を長くすることができる。
【００３６】
また、係合部材（３２）には、少なくとも１以上のリブ（３２３）を形成して該係合部材（３２）の全体構造の強度を補強する。
【００３７】
以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００３８】
【図１】従来のイーゼルの斜視図である。
【図２】図１に示したイーゼルの画板支持構造の分解斜視図である。
【図３】図２に示したイーゼルの画板支持構造を組み立てた状態の斜視図である。
【図４】この発明に係る画板支持構造を具えるイーゼルの斜視図である。
【図５】この発明に係る画板支持構造の分解図である。
【図６】図４に示した画板支持構造を組み立てた状態の斜視図である。
【図７】図４に示した画板支持構造を組み立てた状態の平面図である。
【図８】他の実施に示した画板支持構造の分解斜視図である。
【図９】図８に示した画板支持構造を組み立てた状態の平面図である。
【図１０】図８に示した画板支持構造を組み立てた状態の平面図である。
【図１１】係合部材にリブを形成した状態を示す斜視図である。
【符号の説明】
【００３９】
３  画板支持構造
３１  本体
３１１  連結端      
３２  係合部材
３２１  凹状部
３２２  突縁部
３２３  リブ
３３  軸桿
４  イーゼル
４１  支持脚
５  画板
Ａ  第１孔部
Ａ’  第２孔部
Ｂ  軸孔口
Ｃ  凹状部
Ｄ  凹状部
【図１】
2005342345.tif 000003
【図２】
2005342345.tif 000004
【図３】
2005342345.tif 000005
【図４】
2005342345.tif 000006
【図５】
2005342345.tif 000007
【図６】
2005342345.tif 000008
【図７】
2005342345.tif 000009
【図８】
2005342345.tif 000010
【図９】
2005342345.tif 000011
【図１０】
2005342345.tif 000012
【図１１】
2005342345.tif 000013